(57)【要約】マルチプラグスライドアダプタが開示される。第１端子台を有する第１コネクタは、上流側ケーブルに接続される。第１端子台は、下流側第１コネクタプラグにも接続される。変換アダプタは、第１コネクタに移動可能に結合され、第１コネクタプラグを受容する第１コネクタソケットを含む。変換アダプタから第２コネクタを空間オフセットするエクステンションは、第１コネクタソケットに接続され、変換アダプタから延びる。第２端子台を有する第２コネクタは、エクステンションおよび下流側第２コネクタプラグに接続される。第１コネクタプラグと第２コネクタプラグとは、異なる構成規格に従う。【選択図】図５Ａ
2016511519.tif 000002
【特許請求の範囲】
【請求項１】
マルチプラグアダプタであって、第１コネクタと、変換アダプタと、エクステンションと、第２コネクタと、を備え、
第１コネクタは、第１端子台を含み、第１端子台は、上流側ケーブルと、下流側第１コネクタプラグと、に接続され、
変換アダプタは、第１コネクタに移動可能に結合され、第１コネクタプラグを受容する第１コネクタソケットを含み、
エクステンションは、第１コネクタソケットに接続され、変換アダプタから延び、
第２コネクタは、第２端子台を含み、第２端子台は、エクステンションと、下流側第２コネクタプラグと、に接続され、
第１コネクタプラグと第２コネクタプラグとは、異なる構成規格に従い、エクステンションは、変換アダプタから第２コネクタを空間オフセットする、マルチプラグアダプタ。
【請求項２】
請求項１のアダプタであって、第１コネクタプラグは、ユニバーサル・シリアル・バス（ＵＳＢ）ＵＳＢマイクロＢ規格プラグである、アダプタ。
【請求項３】
マルチプラグアダプタであって、第１コネクタと、変換アダプタと、フレキシブルエクステンションケーブルと、第２コネクタと、を備え、
第１コネクタは、第１端子台を収容する第１コネクタハウジングを有し、第１端子台は、上流側ケーブルと、下流側第１コネクタプラグと、に接続され、
変換アダプタは、アダプタハウジングを含み、アダプタハウジングは、第１コネクタに移動可能に結合され、第１コネクタプラグを受容する第１コネクタソケットを含み、
フレキシブルエクステンションケーブルは、第１コネクタソケットに接続され、アダプタハウジングから突き出ており、
第２コネクタは、第２端子台を収容する第２コネクタハウジングを有し、第２端子台は、エクステンションと、下流側第２コネクタプラグと、に接続され、
第１コネクタプラグと第２コネクタプラグとは、異なる構成規格に従い、フレキシブルエクステンションケーブルは、変換アダプタから第２コネクタを空間オフセットする、マルチプラグアダプタ。
【請求項４】
請求項３のアダプタであって、変換アダプタは、ソケット端子台を含み、ソケット端子台は、第１コネクタソケットと、フレキシブルエクステンションケーブルと、に接続され、ソケット端子台は、アダプタハウジング内に収容される、アダプタ。
【請求項５】
請求項４のアダプタであって、アダプタハウジングは、開口を定め、開口を通じてフレキシブルエクステンションケーブルが延びる、アダプタ。
【請求項６】
請求項５のアダプタであって、フレキシブルグロメットを備え、
フレキシブルグロメットは、アダプタハウジングの開口に配置され、フレキシブルエクステンションケーブルの部分を囲む、アダプタ。
【請求項７】
請求項３のアダプタであって、アダプタハウジングは、上ハウジングシェルと下ハウジングシェルとを含む、アダプタ。
【請求項８】
請求項３のアダプタであって、
第１コネクタハウジングは、一対の外側に向く長手方向スライド溝を定め、
アダプタハウジングは、第１コネクタ受容スロットを定め、アダプタハウジングの内側に向く長手方向壁は、第１コネクタ受容スロットを定め、第１コネクタ受容スロットは、第１コネクタハウジングのスライド溝とスライド係合して受け取られる旋回軸をそれぞれ含む、アダプタ。
【請求項９】
請求項８のアダプタであって、一対の外側に向く長手方向スライド溝は、近位端と、向かい合った遠位端と、によってそれぞれ定められ、近位端は、アダプタハウジングに対する第１コネクタハウジングの最大伸長位置に対応する、アダプタ。
【請求項１０】
請求項９のアダプタであって、遠位端は、アダプタハウジングに対する第１コネクタハウジングの最小引込位置に対応する、アダプタ。
【請求項１１】
請求項９のアダプタであって、第１コネクタハウジングは、アダプタハウジングと回転可能に係合している、アダプタ。
【請求項１２】
請求項１１のアダプタであって、外側に向く長手方向スライド溝の近位端と遠位端とは、円形に定められた旋回軸に対応して円形である、アダプタ。
【請求項１３】
請求項３のアダプタであって、第１コネクタプラグは、ＵＳＢマイクロＢ規格プラグである、アダプタ。
【請求項１４】
上流側接続を複数の下流側接続の１つに選択的に結合するデバイスであって、デバイスは、第１コネクタと、回転可能アダプタと、エクステンションと、第２コネクタと、を備え、
第１コネクタは、第１端子台を収容する第１ハウジングを有し、第１端子台は、上流側接続と、第１プラグと、に接続され、第１プラグは、複数の下流側接続の第１のものに接続可能であり、第１ハウジングは、一対の向かい合った長手方向側壁によって定められ、一対の向かい合った長手方向側壁は、それぞれスライド溝をさらに定め、
回転可能アダプタは、アダプタハウジングを含み、アダプタハウジングは、本体部と、一対の向かい合ったコネクタアームと、によって定められ、本体部は、第１プラグを受容する第１ソケットを収容し、一対の向かい合ったコネクタアームは、本体部から延び、コネクタアームのそれぞれは、円筒形旋回軸を含み、円筒形旋回軸は、第１ハウジングの長手方向側壁のスライド溝のそれぞれ１つに係合可能であり、
エクステンションは、第１ソケットに接続され、アダプタハウジングから突き出ており、
第２コネクタは、第２端子台を収容する第２コネクタハウジングを有し、第２端子台は、エクステンションと、複数の下流側接続の第２のものに接続可能である第２プラグと、に接続される、デバイス。
【請求項１５】
請求項１４のデバイスであって、エクステンションは、フレキシブルケーブルである、デバイス。
【請求項１６】
請求項１４のデバイスであって、エクステンションは、アダプタから第２コネクタを空間オフセットする、デバイス。
【請求項１７】
請求項１４のデバイスであって、スライド溝は、近位端と、向かい合った遠位端と、によってそれぞれ定められ、遠位端は、アダプタハウジングに対する第１コネクタの最大伸長位置に対応する、デバイス。
【請求項１８】
請求項１７のデバイスであって、スライド溝の近位端は、アダプタハウジングに対する第１コネクタハウジングの最小引込位置に対応する、デバイス。
【請求項１９】
請求項１４のデバイスであって、第１プラグと第２プラグとは、異なる構成規格に従う、デバイス。
【請求項２０】
請求項１４のデバイスであって、第１プラグは、ＵＳＢマイクロＢ規格プラグである、デバイス。
【発明の詳細な説明】
【技術分野】
【０００１】
関連出願に対するクロスレファレンスは適用されない。
連邦支援の研究／開発に関する声明は適用されない。
【０００２】
本開示は、概して電子デバイスの電源およびデータ相互接続用の電気コネクタに関し、より詳しくはフレキシブルエクステンションを有するマルチプラグスライドアダプタに関する。
【背景技術】
【０００３】
多くの種類の携帯型電子デバイスが、現在のところ市場に存在し、それぞれ独自のニーズを満たしている。例えば、電子リーダ、音楽プレーヤー、ゲームコンソール、携帯電話、携帯端末、デジタルスチルおよびビデオカメラ、ＧＰＳ／ナビゲーション機器などがある。しかしながら、これらの異なる機能を単一のデバイスに収束させる傾向が高まっており、最も典型的なのは、スマートフォン、およびそれほどではないにせよ、タブレットなどの少し大きい形のファクタデバイスである。そのようなデバイスは、前述の機能性を実行するソフトウェアアプリケーションが書き込み可能である汎用データ処理装置を組み込む。さらに、これらのデバイスは、アプリケーションおよび関連データを保存する十分なメモリ空間、同様にデータ転送の便宜のためのＷｉＦｉおよびＢｌｕｅｔｏｏｔｈ（登録商標）などの様々な無線通信様式を有する。多機能デバイスの普及および人気にもかかわらず、専用デバイスが、ある者にとって特定の状況で望ましいことがある。従って、典型的に、多くの者が日常生活を通じて多数の携帯型電子デバイスを携行および使用する。
【０００４】
他の電子デバイス同様に、機能の継続は電源の使用可能度に基づく。ほとんど全ての場合において、携帯型電子デバイスは、搭載バッテリまたは少なくともそれから電力を保持するまたは引き込む能力を含む。車内使用に特定される、および外部ＤＣ電源がいつでも利用できるようなデバイスがいくつかあり、その場合、搭載バッテリは必要ないかもしれない。デバイスの内部空間が制限されていない場合、およびデバイスがあまり電力を引き込まないまたは常時使用を意図していない場合、ＡＡ、ＡＡＡ、および同類のものなどの標準構成使い捨てバッテリが使用され得る。しかしながら、多くのスリムフォームファクタデバイスは、ハウジングの制限された範囲内に収まる独自に構成されたバッテリを必要とし、電力枯渇の際のそこへのアクセスは限られ得る。従って、そのようなデバイスは、外部アダプタに接続可能な搭載充電回路を組み込む。
【０００５】
電子デバイスは、いくつかの異なる方法で電源に接続可能である。最も簡単なモダリティの１つは、同軸コネクタプラグを有するＡＣ電源アダプタであり、同軸コネクタプラグは、デバイスの対応するソケット内に受け取られる。通電容量に応じて、プラグおよびソケットの大きさと形は、変化することができる。この変化および製造業者間の標準化の欠如は、多くの所有、同様の所要電力を有する他のデバイスと互換性がなかった製造業者特有のコネクタおよびアダプタ、の広がりにつながる。従って、携帯型電子デバイス用の電源接続を標準化する動きがある。
【０００６】
多くの製造業者が、デバイスに電力を供給するのにユニバーサル・シリアル・バス（ＵＳＢ）コネクタ、特にマイクロＢプラグ、を現在利用している。当然ながら、ＵＳＢコネクタは、主にデータ伝送リンクであり、従ってスマートフォンおよび音楽プレーヤーなどのデバイスに適し、デバイスは、汎用コンピューターに接続し、そこからデータをダウンロードする。追加的に、しかしながら、ＵＳＢ規格は、相互接続したデバイスに５ＶＤＣ出力を供給する１つのラインを定め、それによって別々の電源アダプタおよび接続の必要性をなくす。ＵＳＢ／マイクロＢコネクタプラグの幅広い採用にもかかわらず、ある製造業者は、デバイスのアプリケーションに優れていると思われる代替コネクタプラグを発展させてきた。これらは、カリフォルニア州クパチーノのアップル社によって開発された、３０ピンドックコネクタおよびＬｉｇｈｔｎｉｎｇコネクタを含む。
【発明の概要】
【発明が解決しようとする課題】
【０００７】
こうして、異なるデバイスに給電および充電する多数のアダプタおよびケーブルに関連する困難および不都合に、多くの者が今もなお直面している。１つのプラグ規格と別のものとを切り替える、当技術分野で知られているデバイスがあり、変換アダプタは、１つの規格のソケットと、データ／電力源に接続された１次プラグから切り離されることができる別の規格の出力プラグと、を有する。出力プラグが変換アダプタと一体化され、単一の構造ユニットにおける相互接続のチェーンに沿った各ソケットプラグインターフェースの多数の障害点の集中に付帯するある種の不都合がある。従って、当技術分野で、改良されたフレキシブルエクステンションを有するマルチプラグスライドアダプタの必要性がある。
【課題を解決するための手段】
【０００８】
本開示の実施形態は、マルチプラグアダプタを検討する。アダプタは、上流側ケーブルに接続される第１端子台付きの第１コネクタを有することができる。第１端子台は、下流側第１コネクタプラグにも接続されることができる。追加的に、アダプタは、第１コネクタに移動可能に結合される変換アダプタを含むことができる。変換アダプタは、第１コネクタプラグを受容する第１コネクタソケットを含むことができる。エクステンションもあってよく、エクステンションは、第１コネクタソケットに接続され、変換アダプタから延びることができる。アダプタは、第２端子台を有する第２コネクタをさらに含むことができ、第２端子台は、エクステンションおよび下流側の第２コネクタプラグに接続されることができる。第１コネクタプラグおよび第２コネクタプラグは、異なる構成規格に従うことができる。さらに、エクステンションは、変換アダプタから第２コネクタを空間オフセットすることができる。
【０００９】
別の実施形態も、マルチプラグアダプタを検討する。第１コネクタハウジングを有する第１コネクタがあってよく、第１コネクタハウジングは、第１端子台を収容する。特に、第１端子台は、上流側ケーブルおよび下流側第１コネクタプラグに接続可能である。変換アダプタもあってよく、変換アダプタは、アダプタハウジングを含むことができ、アダプタハウジングは、第１コネクタソケットに移動可能に結合され、第１コネクタプラグを受容する第１コネクタソケットを収容する。アダプタは、フレキシブルエクステンションケーブルをさらに含むことができ、フレキシブルエクステンションケーブルは、第１コネクタソケットに接続され、アダプタハウジングから突き出る。第２コネクタハウジングを有する第２コネクタが追加的にあってもよく、第２コネクタハウジングは、第２端子台を収容し、第２端子台は、エクステンションおよび下流側第２コネクタプラグに接続できる。第１コネクタプラグおよび第１コネクタプラグは、異なる構成規格に従うことができる。フレキシブルエクステンションケーブルは、変換アダプタから第２コネクタを空間オフセットすると理解される。
【００１０】
別の実施形態に従って、複数の下流側接続の１つに上流側接続を選択的に結合するデバイスが検討される。デバイスは、第１ハウジングを有する第１コネクタを含み、第１ハウジングは、上流側接続に接続された第１端子台を収容する。第１端子台は、第１プラグに接続されることもでき、第１プラグは、複数の下流側接続の第１のものに接続可能である。第１ハウジングは、一対の向かい合った長手方向側壁によって定めることができ、長手方向側壁は、それぞれスライド溝をさらに定める。デバイスは、アダプタハウジングを含む回転可能アダプタを含むこともでき、アダプタハウジングは、本体部および一対の向かい合ったコネクタアームによって定められ、コネクタアームは本体部から延びる。アダプタハウジングは、第１プラグを受容する第１ソケットを収容することができる。コネクタアームのそれぞれは、円筒形旋回軸を含むことができ、円筒形旋回軸は、第１ハウジングの長手方向側壁のスライド溝のそれぞれ１つに係合可能である。デバイスは、エクステンションを含んでもよく、エクステンションは、第１ソケットに接続され、アダプタハウジングから突き出る。さらに、デバイスは、第２ハウジングを有する第２コネクタを含むことができ、第２ハウジングは、第２端子台を収容する。エクステンションは、複数の下流側接続の第２のものに接続可能である第２プラグと同様に、第２端子台に接続する。現在検討されている実施形態は、添付図面と共に読まれる場合に以下の詳細な説明を参照することによって、最も良く理解される。
【００１１】
ここに開示される様々な実施形態のこれらのおよび他の特徴および利点は、以下の詳細な説明および図面に関してより良く理解される。
【図面の簡単な説明】
【００１２】
【図１】本開示の一実施形態に従ったマルチプラグスライドアダプタの上面図である。
【図２】第１プラグ、第１端子台、および第１コネクタハウジングを示すマルチプラグスライドアダプタの第１コネクタの一実施形態の分解斜視図である。
【図３Ａ】検討されるマルチプラグスライドアダプタの変換アダプタの後方斜視図である。
【図３Ｂ】図３Ａに示されている変換アダプタの上平面図である。
【図３Ｃ】図３Ａおよび３Ｂに示される変換アダプタの正面斜視図である。
【図４】本開示のマルチプラグスライドアダプタの様々な構成要素を示す分解斜視図である。
【図５Ａ】第１コネクタの斜視図であり、第１コネクタは最大伸長位置にあり、第１コネクタの第１プラグが、変換アダプタのソケットから外されている。
【図５Ｂ】変換アダプタに対し回転した第１コネクタの斜視図である。
【発明を実施するための形態】
【００１３】
同じ要素を示すのに、共通の符号が図および詳細な説明を通じて使用される。
【００１４】
添付図面に関連して以下に記載される詳細な説明は、マルチプラグアダプタの望ましい実施形態の記述を意図し、それが発展または利用可能な形態のみで表すことを意図していない。詳細な説明は、示されている実施形態と共にアダプタを発展および動作させる機能を示す。しかしながら、同一または同等の機能を、異なる実施形態によって実現でき、異なる実施形態が本開示の範囲内に含まれることも意図する。第１、第２、遠位、近位、および同類のものなどの関係語の使用は、かかる要素間の実際のかかる関係または順序を必ずしも必要または示唆することなく、別の要素から１つを区別するためだけに用いられることが、さらに理解される。
【００１５】
図１は、マルチプラグアダプタ１０の一実施形態を示し、マルチプラグアダプタ１０は、本開示によって考慮されるように上流側接続１２と下流側接続１４とを結合する。以下でさらに詳しく論じるように、下流側接続１４より多くあってよく、従って図１に示されている１つは特に第１下流側接続１４ａとしても参照されてよい。いくつかの実施形態では、マルチプラグアダプタ１０の接続は、ユニバーサル・シリアル・バス（ＵＳＢ）規格に従い、それに伴うｄａｔａ＋、ｄａｔａ−、識別子、電源（ＶＣＣ）およびアースラインおよびそれのコネクタを含む。これに関して、上流側接続１２は、ＵＳＢホスト装置にであってよく、下流側接続１４は、スマートフォン、音楽プレーヤー、または同様のものなどの周辺機器にであってよい。上流側接続１２との間でデータが送信されない場合があってもよく、周辺機器を充電するまたは動作させるための電力のみが提供される。そのような実行のための上流側接続１２は、ＵＳＢホスト装置にまたは専用のＡＣアダプタにまたは他の電源類にであってもよい。本開示の様々な特徴がＵＳＢ接続に関して説明されたが、当業者は、そのような特徴が電力およびデータ伝達用の他の種類の接続に同様に適用できると認識する。
【００１６】
マルチプラグアダプタ１０は、第１コネクタ１６、変換アダプタ１８、および第２コネクタ２０から概して構成され、第２コネクタ２０は、エクステンション２２を有する変換アダプタ１８に接続される。第１コネクタ１６は、変換アダプタ１８にまたは別の周辺機器に電気的に接続可能であり、別の周辺機器は、そこへ受け入れる対応するソケットを有する。第１コネクタ１６が変換アダプタ１８に電気的に接続されるとき、それはエクステンション２２によって第２コネクタ２０にも電気的に接続される。上流側接続１２と第１下流側接続１４ａは、従ってつながっている。
【００１７】
図２に追加的に言及し、第１コネクタ１６は、上流側接続１２用の上流側ケーブル２４に取り付けられている。一実施形態によると、第１コネクタ１６は、コネクタハウジング２６を含み、コネクタハウジング２６は、上端２８および向かい合った下端３０によって定められ、下端３０に上流側ケーブル２４が取り付けられる上端２８に配置されるのは、第１コネクタプラグ３２であり、第１コネクタプラグ３２は、第１端子台３４に取り付け可能または一体化可能である。当業者に認識されるように、上流側ケーブル２４は、上記の様々なＵＳＢ信号線に対応する複数の信号配線を含む。コネクタハウジング２６の外側で、これらの個々の信号配線は上流側ケーブル２４内にまとめられるが、それらは、コネクタハウジング２６の内側で端子突起３６への個々の接続のために分けられる。上流側ケーブル２４に典型的に適用される軸方向（けん引）力および横方向（曲げ）力の弾力性のため、上流側ケーブル２４の前方部全体が、コネクタハウジング２６に固定される。特に、コネクタハウジング２６に取り付けられたフレキシブルグロメット３８があってよく、それを通じて上流側ケーブル２４が挿入および固定される。
【００１８】
端子突起３６は、第１端子台３４の一部であり、そこから第１コネクタプラグ３２に露出する個々のコンタクト４０への導電性トレースがあってよい。コンタクト４０は、プラグ本体４２内に配置されると考えられる。第１端子台３４は、コネクタハウジング２６に取り付けられ、第１コネクタプラグ３２が、コネクタハウジング２６の上端２８によって定められる開口２９から突き出るようになっている。本開示の一実施形態に従って、プラグ本体４２の構造の大きさと形は、中のコンタクト４０のレイアウトおよび配置と同様に、ＵＳＢマイクロＢに適合すると考えられる。しかしながら、これはほんの一例であり、本開示の範囲から逸脱することなく、ＵＳＢマイクロＡ、ＵＳＢミニＡ、および同類のものなどの他の適切な接続またはプラグ規格で置き換えることができる。
【００１９】
第１コネクタプラグ３２は標準化されるが、コネクタハウジング２６はそうする必要がなく、下記にさらに十分に説明するように、概して変換アダプタ１８の形に適合する。それは、前面４４および向かい合った後面４６、同様に左側壁４８ａおよび右側壁４８ｂを含む一対の長手方向側壁４８によってさらに定められ、第１コネクタ１６の長手方向挿入軸との並行関係のためにそのように参照される。
【００２０】
側壁４８は、間に細長の部分を含む近位端５４および向かい合った遠位端５６によって特徴づけられる外側に向くスライド溝５２をそれぞれ定める。
【００２１】
第１コネクタ１６およびそれの副部品の寸法および形状特徴は、主に変換アダプタ１８によって決まり、その逆もそうである。本開示の様々な実施形態によると、第１コネクタ１６は、変換アダプタ１８に移動可能に結合される。場合によっては、変換アダプタ１８は、第１アダプタに移動可能に結合されると見なされ得るが、いずれにせよ、これらの２つの構成要素間の移動可能な係合が表現されている。
【００２２】
一般に、変換アダプタ１８は、第１コネクタ１６を２つの下流側接続１４の１つを選択的に上流側接続１２と共にするのに使用できるモダリティであると理解される。この目的のために、図３Ａおよび図４に示されているように、変換アダプタ１８は、第１コネクタソケット６０を含み、第１コネクタソケット６０は、上記の第１コネクタプラグ３２を受容する。これに関して、第１コネクタソケット６０は、このプラグ（すなわちＵＳＢマイクロＢ第１コネクタプラグ３２）を受け取るソケットのＵＳＢマイクロＢ規格に同様に従うと理解される。第１コネクタソケット６０の各コンタクトは、ソケット端子台６２に個々に接続されることができる。
【００２３】
第１コネクタソケット６０およびソケット端子台６２は、アダプタハウジング６４に収容および搭載される。図４の分解斜視図に最も良く示されているように、一実施例では、アダプタハウジング６４は、上ハウジングシェル６４ａおよび下ハウジングシェル６４ｂによって定めることができる。シェル６４ａ，６４ｂの２つの半分は、実質的に同じであると理解され、下記にさらに十分に説明するように、アダプタハウジング６４の様々な特徴を共に定める。図３Ａおよび図３Ｂに言及し、アダプタハウジング６４は、上記の第１コネクタソケット６０およびソケット端子台６２を収容する本体部６６によっても定められる。追加的に、アダプタハウジング６４は、一対の向かい合ったコネクタアーム６８によって定められることができ、コネクタアーム６８は、本体部６６から長手方向に延びる。あるいは、アダプタハウジング６４は、第１コネクタ受容スロット７０を定めることができ、第１コネクタ受容スロット７０は、それの名称が示唆しているように、第１コネクタ１６を受容する。第１コネクタ受容スロット７０は、内向き長手方向壁７２によって、同様に横壁７４によって、定められることができ、横壁７４は、第１コネクタソケット６０用の開口を定める。より詳細には、左内向き長手方向壁７２ａおよび向かい合った右内向き長手方向壁７２ｂがある。
【００２４】
しかしながら、遠位端７５は円筒形の旋回軸７６を含むことが、定められる。左内向き長手方向壁７２ａ（すなわち左コネクタアーム６８ａ）は、左旋回軸７６ａを含み、右内向き長手方向壁７２ｂ（すなわち左コネクタアーム６８ｂ）は、右旋回軸７６ｂを含む。２つの旋回軸７６は、軸アライメントし、互いに内向きに延び、それぞれの内向き長手方向壁７２からどちらも突き出ている。
【００２５】
前述の通り、本開示の様々な実施形態は、変換アダプタ１８との第１コネクタ１６の移動可能でスライドおよび回転する係合を検討する。これに関して、旋回軸７６は、対応する反対側の側壁４８のそれぞれのスライド溝５２に係合可能であると理解される。旋回軸７６の直径は、従ってスライド溝５２の幅にわずかに摩擦嵌合するような大きさであると理解される。この線に沿って、旋回軸７６の高さは、わずかに摩擦嵌合／スライド係合するような大きさであると理解され、従って適切な深さを有する。
【００２６】
旋回軸７６とスライド溝５２との係合とは別に、第１コネクタ１６は、第１コネクタ受容スロット７０に収まると理解される。横壁７４は、コネクタハウジング２６の幅に対応し、コネクタハウジング２６の長さ（すなわち上端２８と下端３０との間の側壁４８）は、横壁７４からアダプタハウジング６４の遠位端７８までの長さと実質的に同じである。特に、図１に示されているように第１コネクタプラグ３２が第１コネクタソケット６０に完全に挿入され、アダプタハウジング６４の遠位端７８は、コネクタハウジング２６の下端３０と同一平面になり、アダプタハウジング６４の横壁７４は、コネクタハウジング２６の上端２８と同一平面になる。この位置で、旋回軸７６は、スライド溝５２の遠位端５６に当接する、または少なくとも実質的にそれの方を向くと、理解される。これは、アダプタハウジング６４に対するコネクタハウジング２６の最小引込位置を表す。
【００２７】
これから図５に言及し、第１コネクタ１６は、変換アダプタ１８から伸長することができる。第１コネクタプラグ３２が第１コネクタソケット６０から取り出されるとき、旋回軸７６は、スライド溝５２の細長の部分５８に沿ってスライドする。第１コネクタプラグ３２が第１コネクタソケット６０を外れると、一つには旋回軸７６の円形形状によって、第１コネクタ１６は自由に回転可能である。第１コネクタ１６は、旋回軸７６がスライド溝５２の近位端５４に当接するように完全に伸長することができる。スライド溝５２の近位端５４も遠位端５６も、旋回軸７６の円形形状に対応する丸みを帯び、第１コネクタ１６が完全に伸長したにもかかわらず回転可能のままになっている。第１コネクタ１６は、しかしながら、それが回転することができる前に、この位置まで伸長する必要はない。
【００２８】
図５Ｂは、第１コネクタソケット６０から外された第１コネクタプラグ３２を示し、第１コネクタ１６が変換アダプタ１８に対して９０度回転している。第１コネクタプラグ３２は、従って第２下流側接続１４ｂに自由に接続できる。旋回軸７６がスライド溝５２内にとどまるので、第１コネクタ１６は、まだ変換アダプタ１８とスライド係合している。
【００２９】
旋回軸７６は、アダプタハウジング６４によって定められる厚さに対して中央に配置されると理解される。アダプタハウジング６４が上下シェル６４ａ，６４ｂで構成される実施形態では、旋回軸７６は、上半円筒体７６ａおよび下半円筒体７６ｂによって特徴づけられもする。コネクタハウジング２６およびアダプタハウジング６４は、同じ厚さを有すると理解され、従って、コネクタハウジング２６の前面４４は、アダプタハウジング６４の前面７９と同一平面上にあると理解される。そのようなものとして、スライド溝５２は、コネクタハウジング２６の厚さ（すなわち側壁４８の幅）に対して中央に定められるとも理解される。
【００３０】
変換アダプタ１８に移動可能に係合した第１コネクタの一実施形態が示されたが、これはほんの一例であって限定するものではない。第１コネクタ１６が変換アダプタ１８に移動可能に係合する他の適切なモダリティに、本開示の範囲から逸脱せずに置き換えることができる。
【００３１】
前述の通り、第１コネクタソケット６０およびソケット端子台６２は、アダプタハウジング６４内に収容される。この目的のために、アダプタハウジング６４、およびそのそれぞれの上下シェル６４ａ，６４ｂは、そのために形作られたレセプタクル８２を定める。２つのシェル６４ａ，６４ｂは、従って第１コネクタソケット６０およびソケット端子台６２を挟み、互いに摩擦係合する。当業者は、アダプタハウジング６４の製造を単純化する様々な可能な構成を認識する。
【００３２】
再び図１に言及し、本開示の様々な実施形態は、変換アダプタ１８に取り付けられるエクステンション２２を包含する。図４の分解斜視図に示されているように、エクステンション２２は、ソケット端子台６２によって、第１コネクタソケット６０に間接的に接続される。上流側ケーブル２４のように、エクステンション２２は、第１コネクタソケット６０のコンタクトに対応する複数の信号線を含むと理解される。エクステンション２２は、変換アダプタ１８に取り付けられる近位端８４と、第２コネクタ２０に取り付けられる遠位端８６と、によって定められる。
【００３３】
図３Ｃに示されているように、変換アダプタ１８、および特にそれのアダプタハウジング６４は、前述した遠位端７８、および近位端８０によって定められる。様々な実施形態に従って、エクステンション２２は、近位端８０の開口８８から突き出る。エクステンション２２は、個々の信号線を含むフレキシブルケーブルであってよい。与えられ得る機械的応力からケーブルを隔てるために、グロメット９０があり、グロメット９０は、アダプタハウジング６４の近位端８０によって定められる対応するノッチ９２に形状が適合する。
【００３４】
一実施形態に従って、第２コネクタ２０は、アップル社からのＬｉｇｈｔｎｉｎｇと称される独自仕様に従い得る。他のコネクタ仕様も実施することができ、アップル社からの３０ピンドックコネクタ、またはいずれにせよ第１コネクタ１６のそれと異なる他の適切な仕様などである。異なる機械仕様を有するにもかかわらず、電力レベルを含む、第１コネクタ１６および第２コネクタ２０を介して送信される信号は、同じであり、ＵＳＢホスト／周辺機器規格に従うと理解される。再び、第２コネクタ２０は、第１下流側接続１４ａの対応するソケットに受容されることができる。第２コネクタ２０は、下流側プラグとも称される第２コネクタプラグ９８を有すると考えられ、第２コネクタプラグ９８は、第２コネクタ端子台１００に固定され、第２コネクタ端子台１００にエクステンション２２の個々の信号線が終端する。第２コネクタ端子台１００は、コネクタハウジング１０２内に収容される。第２コネクタプラグ９８は、コネクタハウジング１０２の遠位端１０４から突き出るが、エクステンション２２は、コネクタハウジング１０２の向かい合った近位端１０６に取り付けられる。
【００３５】
エクステンション２２は、第２コネクタ２０を変換アダプタ１８から空間オフセットする。特に充電器の場合のように頻繁に着脱されるように設計されているコネクタでは、損傷の可能性は高い。可動係合機構は、特に堅固な非可動のコネクタまたはアダプタに対して、構造的な脆弱性を表し得る。第２コネクタ２０の空間オフセットは、従ってマルチプラグアダプタ１０の異なる部分に共通に受ける力をシフトさせることが想定される。
【００３６】
ここに示されている詳細は、ほんの一例として本発明の実施形態の事例的議論のためであり、最も有用で容易に理解されると思われるアダプタの原理および概念的見地の記述を提供するために提示される。これに関して、開示の基礎的理解に必要である以上に詳細を示そうとはしていない。図面と共に詳細な説明によって、開示されているアダプタのいくつかの形態をどのように実際に具現化できるかが、当業者に明らかになる。
【図３Ａ】
2016511519.tif 000003
【図３Ｂ】
2016511519.tif 000004
【図３Ｃ】
2016511519.tif 000005
【図４】
2016511519.tif 000006
【図５Ａ】
2016511519.tif 000007
【図１】
2016511519.tif 000008
【図２】
2016511519.tif 000009
【図５Ｂ】
2016511519.tif 000010
【国際調査報告】
2016511519.tif 000011